(57)【要約】      （修正有）【課題】筆記用原紙または製本された印刷物に付箋を貼るとはみでる部分が奇麗に揃わない問題や付箋が隣同士で奇麗に幅を揃えて貼付けられない問題、また付箋を奇麗に貼ろうとすると時間がかかる問題を解決する。【解決手段】記入領域１０４外の上端１００、下端１０２、左端１０３、または右端１０１に付箋の幅に対応したマークまたはラインまたは数字をガイド１０５として表示したガイド付きの筆記用原紙１０またはガイド付き付箋を利用する。【選択図】図１
2014210377.tif 000002
【特許請求の範囲】
【請求項１】
記入領域外の上端、下端、左端、または右端に付箋の幅に対応したマークまたはラインま
たは数字をガイドとして表示した筆記用原紙。
【請求項２】
記入領域外の上端、下端、左端、または右端に付箋の幅に対応したマークまたはラインま
たは数字をガイドとして表示した製本された印刷物。
【請求項３】
表面または裏面に均等幅にマークまたはラインまたは数字をガイドとして表示した付箋。
【請求項４】
筆記用原紙と製本された印刷物と付箋を含む文具セットであって、
前記筆記用原紙は付箋に対応したマークまたはラインまたは数字が表示され、
前記製本された印刷物は付箋に対応したマークまたはラインまたは数字が表示され、
前記付箋表面または裏面に均等幅にマークまたはラインまたは数字が表示されている
文具セット。
【発明の詳細な説明】
【技術分野】
【０００１】
本発明は、 筆記用原紙と製本された印刷物の記入領域外の上端、下端、左端または右端
のいずれかに付箋の幅に対応したマークまたはラインまたは数字をガイドとして表示し、
かつ付箋の表面と裏面いずれかに均等幅にマーク及びラインをガイドとして表示すること
に関するものである。
【背景技術】
【０００２】
従来、付箋は無地の発明が知られている。
【０００３】
そのために次のような問題点があった。
（イ）目印がないので書類から外に出た部分が揃わない。
（ロ）綺麗に貼ろうとすると手間がかかる。
（ハ）揃えて綺麗に貼るのは面倒である。
（ニ）本棚に入れると目安がないため、はみ出た付箋が長く、折れ曲がって汚くなってし
まう。
（ホ）付箋に記入して使用するか、目印として貼付ける意外に使用用途がなかった。
本発明は以上の問題点を解決しようとするものである。
【先行技術文献】
【特許文献】
【０００４】
【特許文献１】特願２００６−３０６６３５
【特許文献２】特願２００６−１１０２０８
【特許文献２】特願２００３−１３３７８９
【発明の概要】
【発明が解決しようとする課題】
【０００５】
解決しようとする問題点は、筆記用原紙または製本された印刷物に付箋を綺麗に貼ろうとした際に時間がかかる点や、付箋の横幅とはみ出る部分を綺麗にそろえて貼れない点である。
【課題を解決するための手段】
【０００６】
記入領域外の上端、下端、左端または右端のいずれかに付箋の幅に対応したマークまたは
ラインまたは数字をガイドとして表示した筆記用原紙または製本された印刷物と、付箋の
表面と裏面いずれかに均等幅にマークまたはラインまたは数字をガイドとして表示した付
箋を利用する。
【発明の効果】
【０００７】
（イ）マークやラインがガイドとなるので付箋の先端を綺麗に揃えて貼ることができる。
（ロ）マークやラインに合わせて貼るので簡単に揃えられる。
（ハ）貼ったときの見た目が綺麗。
（ニ）単純な構造なので商品化しやすい。
（ホ）几帳面な人に喜ばれる。
（ヘ）ガイドとなるマークまたはラインまたは数字があれば揃えて貼ろうという気持ちに
なる。
（ト）付箋のマークまたはラインまたは数字をメモリとして利用できる。
（チ）紙面のマークまたはラインまたは数字のガイドに合わせて付箋を貼ることができる
ので、分厚い冊子でも付箋が奇麗に揃う。
（リ）ルーズリーフのようなバラバラの紙面にも付箋が奇麗に揃う。
（ヌ）付箋を奇麗に貼る時間を短縮できる。
（ル）大切な紙面を気持ちよく使用することができる。
（レ）会議書類など重要な書類を奇麗に整理することができる。
（ロ）付箋に文字を記述する際のガイドになる。
【図面の簡単な説明】
【０００８】
【図１】本発明の筆記用原紙の表裏面図
【図２】本発明の製本された印刷物の表裏面図
【図３】本発明の付箋の表裏面図
【図４】従来の発明での実施図
【図５】本発明の製本された印刷物と本発明を利用していない付箋を利用した場合の実施図
【図６】本発明の製本された印刷物と付箋を利用した場合の実施図
【図７】本発明の筆記用原紙と付箋を利用した場合の実施図
【図８】本発明の筆記用原紙と付箋を利用した場合の実施図
【図９】本発明を利用しなかった場合の実施図
【図１０】本発明の製本された印刷物と付箋を利用した場合の実施図
【発明を実施するための形態】
【０００９】
以下、本発明の実施の形態を図を用いて説明する。
尚、本発明において筆記用原紙とはルーズリーフ、コピー用紙、ノートの総称である。
尚、本発明において製本された印刷物とは書籍、参考書、教科書、メモ帳、手帳の総称で
ある。
従来の技術では図４のように製本された印刷物に付箋を貼ると目印になるガイドがないた
め、開いた状態でも（６０１）や（６０２）のように、付箋がはみ出る部分の高さや横幅
がバラバラになり、使用者が奇麗に使用したいと考える欲求を満たすことができていな
かった。また（６１）閉じた状態においても（６０３）や（６０４）のように付箋のはみ
出る部分の幅、高さが揃わず使用者の奇麗に使用したいと考える欲求を満たすことができ
ていなかった。また図９のように（９０）付箋を貼った製本された印刷物を（９１）本棚
にしまう際に（９０１）付箋のはみ出る部分の高さに目安がなかったため、（９０２）付
箋が折れ曲がり、見た目を損なっていた。
【００１０】
本発明では、図１の（１０）筆記用原紙の（１０４）記入領域の外の（１００）上端、
（１０１）右端、（１０２）下端、または（１０３）左端のいずれかに（１０５）マーク
またはラインまたは数字をガイドとして表示し、（１０５）と（１０６）のガイド間の幅
は付箋の幅に対応する。またガイドは全周に表示しても良い。この発明だけでもこどもか
ら大人まで時間をかけずに奇麗に付箋の横幅を揃えて貼ることが可能になる。
【００１１】
図２の（２０）製本された印刷物においても（２０４）（２０５）記入領域の外の（２０
０）上端、（２０１）右端、（２０２）下端、または（２０３）左端のいずれかに（２０
６）マークまたはラインまたは数字をガイドとして表示し、（２０６）と（２０７）のガ
イド間の幅は付箋の幅に対応する。この発明だけでも（２０５）と（２０６）の幅を付箋
幅に対応させることでこどもから大人まで時間をかけずに図５のように奇麗に付箋の横幅
を揃えて貼ることが可能になり、（７１）製本された印刷物を閉じた状態でも、付箋を奇
麗に揃えることができる。また図１０のように厚みのある製本された印刷物の離れたペー
ジ同士であっても奇麗に付箋の横幅を揃えて貼ることが可能になるだけではなく、図８の
ように（８１）（８２）（８３）バラバラの筆記用原紙であっても重ね合わせたときに奇
麗に付箋を揃えることが可能になる。
【００１２】
加えて図３の（３０）（４０）（５０）付箋において上端、右端、下端、または左端に
マークまたはラインまたは数字をガイドとして表示することで、図１または図２と合わせ
て使用すると、図６または図８のように横幅だけではなく、はみ出す部分の高さも（７１
４）と（７１５）、また（７１６）（７１７）（７１８）のように、揃えることが可能に
なり、図６、図７、図８のように、より奇麗に（１０）筆記用原紙や（２０）製本された
印刷物に付箋を貼ることができるようになる。
【００１３】
例えば勉強という行動の中で従来の付箋は、間違った箇所やポイントを見つけやすくする
目印や、補足文章を付け加える筆記用原紙という役割を持っていた。図３のようにマーク
またはラインまたは数字を表示することで使用者にレベルや段階という意味を付箋に付け
加えることを提案できるようになり、使用者は理解度や重要度といったレベル付けを付箋
のはみ出る部分の高さで表現することが可能になる。例えば図７で説明するならば、使用
者は復習が必要な度合いに応じてはみ出る部分の高さをかえ、重要なポイントであればメ
モリの２段目以上をはみ出す形で貼付け、そのポイントより優先順位が高ければ３段目以
上をはみ出させ、優先順位が低ければ１段目まではみ出させるなど、使用者がルールを決
めて段階やレベルといった意味を持たせて使用することが可能になる。
【００１４】
筆記用原紙または製本された印刷物のマークまたはラインまたは数字は、上端、右端、下
端、または左端のいずれかに対して垂直にガイドとして表示されることで、点や円といっ
た丸みを帯びた形をガイドとして利用するよりも、正確に付箋を貼るとができる。またガ
イドは付箋の幅に対応する。
【符号の説明】
【００１５】
１０    筆記用原紙
１００  筆記用原紙上端
１０１  筆記用原紙右端
１０２  筆記用原紙下端
１０３  筆記用原紙左端
１０４  筆記用原紙記入領域
１０５  マークまたはラインまたは数字によるガイド
１０６  マークまたはラインまたは数字によるガイド
２０    製本された印刷物
２００  製本された印刷物の上端
２０１  製本された印刷物の右端
２０２  製本された印刷物の下端
２０３  製本された印刷物の左端
２０４  製本された印刷物の記入領域または紙面領域
２０５  製本された印刷物の記入領域または紙面領域２
２０６  マーク及びラインによるガイド
２０７  マーク及びラインによるガイド
３０    マークによるガイド付き付箋
４０    ラインによるガイド付き付箋
５０    数字によるガイド付き付箋
６０    従来の発明を利用して製本された印刷物
６１    従来の発明を利用して製本された印刷物を閉じた状態
６０１  本発明を利用していない付箋
６０２  本発明を利用していない付箋
６０３  本発明を利用していない付箋
６０４  本発明を利用していない付箋
７０    本発明を利用して製本された印刷物
７１    本発明を利用して製本された印刷物を閉じた状態
７２    本発明を利用して製本された印刷物
７３    本発明を利用して製本された印刷物を閉じた状態
７１４  本発明を利用したガイド付き付箋
７１５  本発明を利用したガイド付き付箋
７１６  本発明を利用したガイド付き付箋
７１７  本発明を利用したガイド付き付箋
７１８  本発明を利用したガイド付き付箋
８１    本発明を利用した筆記用原紙
８２    本発明を利用した筆記用原紙
８３    本発明を利用した筆記用原紙
９０    本発明を利用していない印刷された製本物と付箋を利用した状態
９１    本棚
９０１  本発明を利用していない付箋
９０２  本発明を利用していない付箋が折れ曲がった状態
【図１】
2014210377.tif 000003
【図３】
2014210377.tif 000004
【図４】
2014210377.tif 000005
【図５】
2014210377.tif 000006
【図７】
2014210377.tif 000007
【図２】
2014210377.tif 000008
【図６】
2014210377.tif 000009
【図８】
2014210377.tif 000010
【図９】
2014210377.tif 000011
【図１０】
2014210377.tif 000012